(57)【要約】【課題】許可済み屋外広告物と無許可屋外広告物との判別が容易であり、あらゆる機会をとらえて無許可屋外広告物の情報収集を可能とする屋外広告物管理システムを提供する。【解決手段】緯度経度により位置が特定される所定の地図データにリンクされた、屋外広告物の掲出場所に対する緯度経度からなる位置データが括り付けられた画像データと属性データとからなる屋外広告物情報が格納されたデータベースと、ネットワークを介してアクセスされた携帯端末に表示するＷｅｂページを作成する手段と、屋外広告物情報の表示要求を受けたとき、データベースから検索する検索手段と、を備えた。【選択図】図４ 
2005284989.tif 000002
【特許請求の範囲】
【請求項１】
屋外広告物の申請書に記載された申請情報を含む属性データ、該屋外広告物の掲出場所が記録された地図データ、及び該屋外広告物の画像データに基づいて、屋外広告物の管理を行う屋外広告物管理システムであって、
少なくとも、緯度経度により位置が特定される所定の地図データにリンクされた、屋外広告物の掲出場所に対する緯度経度からなる位置データが括り付けられた画像データと前記属性データとからなる屋外広告物情報が格納されたデータベースと、
ネットワークを介してアクセスされた携帯端末に表示する所定のＷｅｂページを作成するＷｅｂページ作成手段と、
前記携帯端末に表示された所定のＷｅｂページ上で所定の屋外広告物情報の表示要求を受けたとき、該表示要求を受けた該屋外広告物情報を前記データベースから検索する検索手段と、を備えたことを特徴とする屋外広告物管理システム。
【請求項２】
前記携帯端末は、該携帯端末が置かれた場所の前記位置データを取得する機能を有するものであって、
前記検索手段は、前記所定のＷｅｂページ上で前記携帯端末により取得された前記位置データの入力を受けたとき、入力された該位置データを含む所定範囲内の前記屋外広告物情報を前記データベースから検索し、
前記Ｗｅｂページ作成手段は、前記検索手段により検索された前記屋外広告物のリストを前記携帯端末に表示する所定のＷｅｂページを作成することを特徴とする請求項１記載の屋外広告物管理システム。
【請求項３】
前記携帯端末は、所定の記憶手段を有し、前記Ｗｅｂページ作成手段により作成された前記屋外広告物のリストを該記憶手段に自在に格納することを特徴とする請求項２記載の屋外広告物管理システム。
【請求項４】
前記Ｗｅｂページ作成手段は、前記携帯端末から、所定の屋外広告物の画像データ及び属性データと該屋外広告物の掲出場所の前記位置データとを受信したときは、受信した該位置データに該画像データ及び該属性データを括り付けて前記データベースに格納することを特徴とする請求項１記載の屋外広告物管理システム。
【請求項５】
前記データベースは、前記申請書を提出された許可済みの屋外広告物に関する前記屋外広告物情報が格納される許可物件領域と該申請書を未提出の未許可の屋外広告物に関する屋外広告物情報が格納される未許可物件領域とを有するものであり、
前記携帯端末から受信した前記画像データ及び前記属性データは、撮影された屋外広告物が許可済みのものであるか否かの区分情報が添付されたものであって、
前記Ｗｅｂページ作成手段は、添付された前記区分情報に基づいて、前記携帯端末から受信した前記画像データ及び前記位置データを前記許可物件領域及び前記未許可物件領域の何れか一方に格納することを特徴とする請求項４記載の屋外広告物管理システム。
【請求項６】
前記データベースは、許可済みか否かが未判別の屋外広告物に関する前記屋外広告物情報が格納される未判別物件領域を有するものであり、
前記Ｗｅｂページ作成手段は、前記携帯端末から前記区分情報が未添付の前記画像データ及び前記位置データを受信したときは、受信した該画像データ及び該位置データを前記未判別物件領域に格納することを特徴とする請求項４記載の屋外広告物管理システム。
【請求項７】
前記Ｗｅｂページ作成手段は、前記未判別物件領域に格納された前記屋外広告物情報に対する許可済みか否かの判別を受け、判別を受けた該屋外広告物情報に、該屋外広告物が許可済みのものであるか否かの区分情報が添付されているときは、添付された該区分情報に基づいて、該前記屋外広告物情報を前記データベースの前記許可物件領域及び前記未許可物件領域の何れか一方に格納することを特徴とする請求項６記載の屋外広告物管理システム。
【請求項８】
屋外広告物の申請書に記載された申請情報を含む属性データ、屋外広告物の掲出場所が記録された地図データ、及び該屋外広告物の撮影画像データに基づいて、屋外広告物の管理を行う屋外広告物管理方法であって、
データベースに、緯度経度により位置が特定される所定の地図データに、屋外広告物の掲出場所に対する緯度経度からなる位置データが括り付けられた画像データと前記属性データとからなる屋外広告物情報を格納し、
所定の位置データ又は前記属性データに基づいて前記データベースの検索を受けたとき、検索を受けた該位置データ又は該属性データを含む所定範囲の前記地図データと該地図データに括り付けられた前記掲出場所を表すマークをデイスプレイ画面に表示させることにより、掲出された屋外広告物が前記申請書に記載された許可済みの屋外広告物か否かを確認することを特徴とする屋外広告物管理方法。
【請求項９】
ネットワークを介してアクセスされた携帯端末から、該携帯端末により撮影された屋外広告物の画像データ、該携帯端末により取得された、該屋外広告物が掲出された掲出場所の前記位置データ、及び該携帯端末から入力された該屋外広告物の前記属性データを受信したときは、受信した該画像データ及び該属性データを、受信した該位置データに基づいて前記所定の地図データに括り付け、前記データベースに格納することを特徴とする請求項８記載の屋外広告物管理方法。
【発明の詳細な説明】
【技術分野】
【０００１】
本発明は、屋外広告物の申請書に記載の属性データと屋外広告物の掲出場所を表す地図データとに基づいて、屋外広告物の管理を行う屋外広告物管理システム及び屋外広告物管理方法に関する。
【背景技術】
【０００２】
従来から、商品等の識別標識などを用いて、宣伝活動を行うことにより、その商品等を広く周知する方法が盛んに用いられている。宣伝活動は、放送や雑誌などのメデイアを活用したものから、広告塔やネオンサインなどを用いたものまで多様である。
【０００３】
特に、広告塔やネオンサイン、アドバルーン、ポスター、立て看板などのいわゆる屋外広告物については、無秩序に設置すると都市の景観を損なうばかりでなく、路上に落下したり倒壊したりすると、人に危害を及ぼす場合があることから、屋外広告物法や屋外広告物条例によって一定の規制を受けている。
【０００４】
また、一定の屋外広告物については、行政の許可が必要となり、申請時に一定の手数料の納付が必要であり、屋外広告物が道路上に突き出している場合には、更に道路占用許可や占用料の納付が必要な場合がある。しかし、屋外広告物は種類が多い上、表示方法に関する規制も多様であることや、一定期間が経過すると更新処理手続きが必要となることなどから、申請件数の多い行政では、その事務処理が煩雑で、必ずしも十分な管理が行われているとはいえないのが実情である。
【０００５】
そこで、申請書はテキストデータに変換する一方、写真などの添付書類はイメージデータに変換してデータベースに格納し、申請済みの屋外広告物を容易に検索できるようにすることや、データベースに格納されたデータに基づいて、許可や更新に係る通知書類を自動作成する広告物管理の電算化が、一部行政で採用されている。
【０００６】
しかしながら、屋外広告物は、その性格上、都市中心部や繁華街に集中する傾向があり、許可済みの屋外広告物と無許可の屋外広告物とを判別するのが困難な地域が多く、両者が混在することによる不公平感が一部に生じている。
【０００７】
そこで、現地調査により多大の労力を費やして許可済みの屋外広告物と無許可の屋外広告物とを判別し、無許可の屋外広告物の一掃を図っているが、それ以後のフォローがうまく機能しないため、期間の経過に伴って元の混在状態に復してしまうという問題がある。
【０００８】
また、屋外広告物は、建造物と異なり、住所情報のみから屋外広告物の位置を直ちに確認することが困難である。また、地理的には隣接していても、住所情報を基にリストアップされた帳票では異なるページに表示される場合があり、現地確認の際に手戻りが生じ勝ちとなる。
【０００９】
なお、屋外広告物の表示に関し、関心のある情報が得られるように屋外広告物にＲＦＩＤタグを付し、リーダを用いてその情報を取得できるようにしたものがある（特許文献１参照）。
【特許文献１】特開２００２−２１５０４９号公報
【発明の開示】
【発明が解決しようとする課題】
【００１０】
本発明は、上記事情に鑑み、現地調査において、許可済み屋外広告物と無許可屋外広告物との判別が容易であり、かつあらゆる機会をとらえて無許可屋外広告物の情報収集を可能とする屋外広告物管理システム及び屋外広告物管理方法を提供することを目的とする。
【課題を解決するための手段】
【００１１】
上記の目的を達成する本発明の屋外広告物管理システムは、屋外広告物の申請書に記載された申請情報を含む属性データ、屋外広告物の掲出場所が記録された地図データ、及び該屋外広告物の撮影画像データに基づいて、屋外広告物の管理を行う屋外広告物管理システムであって、
少なくとも、緯度経度により位置が特定される所定の地図データにリンクされた、屋外広告物の掲出場所に対する緯度経度からなる位置データが括り付けられた画像データと前記属性データとからなる屋外広告物情報が格納されたデータベースと、
ネットワークを介してアクセスされた携帯端末に表示する所定のＷｅｂページを作成するＷｅｂページ作成手段と、
上記携帯端末に表示された所定のＷｅｂページ上で所定の屋外広告物情報の表示要求を受けたとき、該表示要求を受けた該屋外広告物情報を上記データベースから検索する検索手段と、を備えたことを特徴とする屋外広告物管理システム。
【００１２】
このように、緯度経度により位置が特定される所定の地図データにリンクされた、屋外広告物の掲出場所に対する緯度経度からなる位置データが括り付けられた画像データと上記属性データとからなる屋外広告物情報がデータベースに格納され、ネットワークを介してアクセスされた携帯端末に、掲出場所に対する位置データが括りつけられた地図や屋外広告物の画像を表示することができるので、屋外広告物の確認が容易にできる。
【００１３】
上記の目的を達成する本発明の屋外広告物管理方法は、屋外広告物の申請書に記載された申請情報を含む属性データ、屋外広告物の掲出場所が記録された地図データ、及び該屋外広告物の撮影画像データに基づいて、屋外広告物の管理を行う屋外広告物管理方法であって、
データベースに、緯度経度により位置が特定される所定の地図データに、屋外広告物の掲出場所に対する緯度経度からなる位置データが括り付けられた画像データと上記属性データとからなる屋外広告物情報を格納し、
所定の位置データ又は前記属性データに基づいて前記データベースの検索を受けたとき、検索を受けた該位置データ又は該属性データを含む所定範囲の上記地図データと該地図データに括り付けられた上記掲出場所を表すマークをデイスプレイ画面に表示させることにより、掲出された屋外広告物が上記申請書に記載された許可済みの屋外広告物か否かを確認することを特徴とする屋外広告物管理方法。
【００１４】
このように、データベースに、緯度経度により位置が特定される所定の地図データに、屋外広告物の掲出場所に対する緯度経度からなる位置データが括り付けられた画像データと上記属性データとからなる屋外広告物情報を格納し、情報端末やネットワークを介してアクセスされた携帯端末に、地図にマークで屋外広告物の掲出位置が表示されるので、掲出された屋外広告物が申請書に記載された許可済みの屋外広告物か否かを確認することが容易になる。
【発明の効果】
【００１５】
本発明の屋外広告物管理システム及び屋外広告物管理方法によれば、現地調査において、許可済み屋外広告物と無許可屋外広告物との判別が容易であり、かつあらゆる機会をとらえて無許可屋外広告物の情報収集が可能となるので、屋外広告物の維持管理や確認が容易になる。
【発明を実施するための最良の形態】
【００１６】
以下に、本発明の屋外広告物システム及び屋外広告物管理方法の実施形態について説明する。
【００１７】
図１は、本発明の屋外広告物管理システムの実施形態を示す概略構成図である。
【００１８】
図１に示す本実施形態の屋外広告物管理システム１は、データベース２が形成されるハードデイスク（以下、「ＨＤＤ」と称する。）１５と、インターネットなどのネットワーク２０にインタフェースを有するパーソナルコンピュータ（以下、「ＰＣ」と称する。）１０と、により構成され、ＰＣ１０は、ネットワーク２０を介してアクセスした携帯端末３０に、データベース２に格納された情報を表示することができるとともに、プリンタ４０に所定の帳票を出力することができる。
【００１９】
ここで、本実施形態における携帯端末３０は、その携帯端末３０が置かれた場所の緯度経度（本発明の位置データに相当する。）を取得する機能を有していれば、携帯電話であっても、ＰＤＡなどのモバイル端末であってもよい。
【００２０】
また、本実施携帯の屋外広告物管理システム１は「ＨＤＤ」１５と「ＰＣ」１０とにより構成されているが、それらが一体化されたものであってもよく、さらに、ＰＣの限定する必要はない。
【００２１】
データベース２は、本屋外広告物管理システム１が導入される市町村の地図データ、屋外広告物の申請書に記載された申請情報を含む属性データ、屋外広告物の画像データ、屋外広告物の掲出場所の緯度経度が格納され、格納された屋外広告物の掲出場所の緯度経度と地図データ、並びにその緯度経度と画像データ及び属性データとは共にリンクが張られている。
【００２２】
したがって、所定の緯度経度又は属性データに基づいて、その緯度経度を含む所定範囲の地図データ又は所定の住所を含む所定範囲の地図データを抽出し、抽出された地図データに基づく地図を表示させ、その地図に、緯度経度によりリンクされた屋外広告物の掲出場所をマークで表すことや、屋外広告物の画像を表示させることができる。ここで所定範囲とは、例えば「町名」「丁目」「番地」であっても、「緯度経度範囲」であっても、「所定位置からの所定距離の範囲」であってもよい。
【００２３】
ＰＣ１０は、Ｗｅｂページ作成手段３と検索手段４とを有する。
【００２４】
Ｗｅｂページ作成手段３は、ネットワーク２０を介してアクセスした携帯端末３０の表示画面にＷｅｂページを表示し、携帯端末３０から、表示されたＷｅｂページに緯度経度が入力されると、その緯度経度を含む所定範囲内に掲出された、申請書が提出された許可済みの屋外広告物リスト、屋外広告物が掲出された掲出場所の地図、及び画像などを表示することができる。またネットワーク２０を介してアクセスされた携帯端末３０から屋外広告物の画像データとその掲出場所の緯度経度とが送信されたとき、受信した掲出場所の緯度経度と地図データとを括りつけ、受信した掲出場所の緯度経度と画像データとを括り付けてデータベース２に格納する。
【００２５】
検索手段４は、携帯端末３０に表示された所定のＷｅｂページ上で所定の屋外広告物情報の表示要求を受けたとき、その表示要求を受けた屋外広告物情報をデータベース２から検索し、検索した屋外広告物情報を所定のＷｅｂページ作成手段に渡す。
【００２６】
また、ＰＣ１０の表示画面に表示されたメニューにより、キーボードやマウスを用いて、例えば「申請」メニューを選択することにより、申請書に記載された属性データや、画像データを緯度経度により地図データに括り付けた状態でデータベース２に格納することができる。さらに、手数料の納付を確認した後「許可証発行」メニューが選択されると、プリンタから許可証が出力される。
【００２７】
また、ＰＣ１０の表示画面に表示されたメニューにより、「許可一覧」を選択すると、検索手段４により検索された、例えば、「町名」「丁目」「番地」など所定区域毎の、あるいは広告種別毎の、申請済みの屋外広告物リストをＰＣ１０の表示画面に表示させることができる。
【００２８】
図２は、屋外広告物の申請書が提出されたときの登録処理を説明する図である。
【００２９】
図２に示すように、屋外広告物の広告主から提出された申請書及び設計図、近隣図、写真等の添付書類を受け付けると（Ｓ１）、申請書等の申請内容を確認する（Ｓ２）。
【００３０】
申請内容に齟齬がないときは本屋外広告物管理システムへの入力を行う（Ｓ３）。
【００３１】
ＰＣに、図２（ａ）に示す「申請者情報」メニュー画面１０ａを表示させ、ダイアログボックスに「申請者名、管理者名、申請日等」の申請者情報（詳細は後述する。）を入力する（Ｓ４）。
【００３２】
申請者情報が入力されると、図２（ｂ）に示す「申請物件情報」メニュー画面１０ｂを表示させ、ダイアログボックスに「広告種別、広告分類、手数料額、住所情報、位置データ、許可制限事項等」の申請物件情報（詳細は後述する。）を入力する（Ｓ５）。
【００３３】
ここで、画像データは、屋外広告物の写真をスキャナで読み取り取得することにしてもよいし、屋外広告物をデジタルカメラで撮影して取得することにしてもよい。
【００３４】
申請物件情報が入力されると、図２（ｃ）に示す「地図情報」メニュー画面１０ｃを表示させ、申請物件情報として入力された住所情報の地図を表示させる。そして表示された地図に屋外広告物が掲出された位置をポインタで指定することにより、屋外広告物が掲出された場所の緯度経度と地図データとを括り付ける（Ｓ６）。
【００３５】
これらの処理により、データベース２の許可済み物件領域に、地図データに括り付けられた掲出場所の緯度経度(位置データ)及び画像データと、屋外広告物の属性データとが格納される。
【００３６】
図３は、申請時の登録処理により入力される項目例の詳細を示す図である。
【００３７】
図３（ａ）は、「申請者情報」メニュー画面１０ａに入力される項目例、図３（ｂ）は、「申請物件情報」メニュー画面１０ｂに入力される項目例、図３（ｃ）は、「申請物件情報」のうちの画像データに対し「イメージ情報」として入力される項目例を示す。
【００３８】
図３（ｂ）に示す「申請物件情報」メニュー画面１０ｂには、屋外広告物の設置場所（掲出場所）の位置データが入力されるが、このデータは、「住所」から別のシステムを用いて入手し、それを入力することにしてもよいし、後日現地調査を行って入手した位置データ(緯度経度)を入力することにしてもよい。また、図３（ｃ）に示す「イメージ情報」は、屋外広告物の写真をスキャナで読み取ったときの画像データと、その画像データに付される識別情報等として入力される。
【００３９】
図４は、屋外広告物管理システムにより申請登録処理を行う際のＰＣの入力画面の一例を示す図である。
【００４０】
図４に示すように、ＰＣの入力画面には、申請者番号、許可連番、最新許可日、広告種別、設置面、表示内容、手数料などが表示されるので、申請書等に基づき、キーボードを操作することによりダイアログボックスに所定情報を入力する。
【００４１】
図５は、屋外広告物が掲出された位置データと地図データとを括り付ける地図情報メニュー画面を示す図である。
【００４２】
図５に示すように、地図情報メニュー画面１０ｃに、申請物件情報として入力された住所情報を用いて屋外広告物の掲出場所近隣の地図を表示させる。そして表示された地図に屋外広告物が掲出された位置をポインタ（図の星マーク１１）で指定することにより、屋外広告物が掲出された緯度経度と地図データとが括り付けられる。したがって、屋外広告物の掲出場所の緯度経度が括り付けられた地図を表示させると、星マーク１１により、屋外広告物の掲出場所を表示させることが出来る。
【００４３】
図６は、携帯端末を用いて屋外広告物の現地調査を行うときの処理を説明する図である。
【００４４】
図６に示すように、緯度経度からなる位置データを取得可能な携帯端末を用いた屋外広告物の現地調査が開始されると（Ｓ１１）、屋外広告物が掲出された掲出場所の位置データを取得する（Ｓ１２）。
【００４５】
次に、携帯端末に備えるカメラにより屋外広告物を撮影し、画像データを取得する（Ｓ１３）。
【００４６】
次に、撮影した屋外広告物の、例えば広告種別、広告分類等の属性情報を入力する（Ｓ１４）。
そして、（Ｓ１２〜Ｓ１４）において取得された、位置データ(緯度経度)、撮影画像データ、及び属性データを、データベースに送信する（Ｓ１５）。
【００４７】
ここで、位置データ、画像データ、及び属性データは、ネットワークを介してＷｅｂページ作成手段にアクセスして、一括して送信することもできるし、取得の都度送信することもできる。また、携帯端末にメモリされたそれらのデータを、持ち帰って、ＰＣにアップロードすることもできる。
【００４８】
図７は、屋外広告物管理システムのデータベースに格納された許可済み屋外広告物の情報を現行維持する場合の処理例を示す図である。
【００４９】
図７に示すように、屋外広告物の広告主から提出された申請書及び設計図、近隣図、写真等の添付書類に基づいて、図２で説明したと同様にして、「申請者情報」「申請物件情報」が入力され、「位置情報の括り付け」がなされると、「許可証」４１が発行される。
【００５０】
一方、データベースは、地図データが格納される領域のほかに、申請書が提出された許可済みの屋外広告物に対する、属性データ、位置データ(緯度経度)及び画像データが格納される許可物件領域２ａと、申請書が未提出の未許可の屋外広告物に対する、属性データ、位置データ(緯度経度)及び画像データが格納される未許可物件領域２ｂと、許可済みの屋外広告物であるか、未許可の屋外広告物であるかが未判別の屋外広告物に対する、属性データ、位置データ(緯度経度)及び画像データが格納される未判別物件領域２ｃとを有する。
【００５１】
本例の処理は、例えば市役所が、地域等を指定して調査会社に、その指定された地域に掲出された屋外広告物を許可、未許可に係わらずしらみ潰しに調査させ、その調査結果を一旦データベースの未判別物件領域２ｃに格納する。そして、後日、市役所側で、未判別物件領域２ｃに格納された屋外広告物を、許可済みの屋外広告物と照合することにより、未許可の屋外広告物を選別する作業を行うものである。
【００５２】
調査会社は、市役所から委託を受けると、指定された地域における現地調査を行う。
現地調査においては、屋外広告物が許可済みのものであるか、未許可のものであるかの判定は行わず、図６で説明したと同様に、携帯端末２０により屋外広告物の位置データ(緯度経度)を取得し、屋外広告物を撮影して画像データを取得し（Ｓ１１〜Ｓ１４）、取得した緯度経度及び画像データとをＰＣのＷｅｂページ作成手段に送信する（Ｓ１５）。
【００５３】
Ｗｅｂページ作成手段は、送信された緯度経度及び画像データを、いったんデータベースの未判別物件領域２ｃに格納する。
【００５４】
現地調査が終了すると、市役所側では、データベースの未判別物件領域２ｃに格納された、緯度経度及び画像データを一件、一件読み出して、許可済みの物件か、未許可の物件かを判定する許可物件調査が行われる。
【００５５】
この許可物件調査は、一部、オペレータにより処理され、オペレータは、データベースの未判別物件領域２ｃに格納された位置データ及び画像データを1件ずつＰＣの表示画面に表示させ、表示された位置データをもとに、許可物件領域２ａに格納された近隣の許可済み屋外広告物を検索する（Ｓ２０）。なお、詳細は後述する。
【００５６】
そして、検索された近隣の許可済み屋外広告物のリストに基づいて、オペレータは、未判別物件の照合を行い、許可済み物件であるか、未許可物件であるかの判定を行い、区分情報を添付する（Ｓ３０）。なお、詳細は後述する。
【００５７】
区分情報が添付された位置データ(緯度経度)及び画像データは、ＰＣのＷｅｂページ作成手段に送られ、ＰＣのＷｅｂページ作成手段は、緯度経度とデータベースに格納された地図データ、及び緯度経度と画像データをそれぞれ括り付け、添付された区分情報が許可済みであるときは、データベースの許可物件領域２ａに調査済みなどの情報を格納し、未許可であるときは、データベースの未許可物件領域２ｂに調査で取得された広告物の位置情報、画像情報などの情報を格納する(Ｓ４０)。
【００５８】
図８は、許可物件領域に格納された近隣の許可済み屋外広告物を検索する処理フローを示す図である。
【００５９】
図８に示すように、近隣の許可済み屋外広告物の検索フローが開始されると（Ｓ２０）、
オペレータは、ＰＣの屋外広告物管理システムのメニュー画面から現地調査により取得し、データベースの未判別物件領域２ｃに格納された屋外広告物の物件情報を検索して地区、広告種別、広告分類等による一覧を表示させ、作業を行う対象を絞り込む（Ｓ２１）。
【００６０】
例えば、屋外広告物検索画面１２において、「検索条件」１２ａとして「地区」１２ｂを指定し、「富士通町一丁目」を入力して「検索実行」釦１２ｃ をクリックすると、図９に示すような屋外広告物の一覧が表示される。
【００６１】
この場合、一覧件数が多い場合には、さらに、「広告種別」１２ｄ「広告分類」１２ｅによる絞り込みができる。
【００６２】
次に、表示させた一覧から調査対象物件を選択する（Ｓ２２）。そして、調査対象物件の画像データ、属性データ、位置データ(緯度経度)を画面に表示させる（Ｓ２３）。
【００６３】
そして、許可済み物件領域２ａから調査対象物件の位置データを検索キーとして、所定範囲の許可済みの屋外広告物の一覧を表示させる（Ｓ２４）。
【００６４】
次に、調査対象物件の属性データを検索キーとして、同一属性の許可済みの屋外広告物を検索する（Ｓ２５）。
【００６５】
次に、調査対象物件のイメージ情報をキーとして、類似イメージの許可済み屋外広告物を検索する。（Ｓ２６）
図１１は、調査対象物件の画像と許可済みの屋外広告物の画像とを比較し、区分情報を添付する処理フローを示す図である。
【００６６】
図１１に示すように、区分情報を添付する処理フローが開始されると（Ｓ３０）、図１０に示すように、調査対象物件の属性情報１３ａ、画像データ１３ｂをＰＣの画面に表示させ（Ｓ３１）、
所定範囲の許可済みの屋外広告物の候補一覧１３ｃを表示させる（Ｓ３２）。そして、候補一覧１３ｃより選択された許可済み屋外広告の画像１３ｄを表示させる（Ｓ３３）。
【００６７】
そして、表示された屋外広告物の画像と調査対象物件の画像とを比較して、その調査対象物件が表示された許可済みの屋外広告物であるか否かを「許可」釦１３ｅ、「未許可」釦１３ｆのいずれかがクリックされることにより判定する（Ｓ３４）。
【００６８】
次に、判定結果により、許可済みのものか、未許可のものかを区分する区分情報を添付する（Ｓ３５〜Ｓ３７）。
なお、調査対象物件に対する許可済み屋外広告物が候補一覧１３ｃより検出できなかった場合、属性情報１３ａを変更して再検索釦１３ｇをクリックすることで許可済み屋外広告物の候補を再検索する（Ｓ２４〜Ｓ２６）ことも可能である。
【００６９】
図１２は、屋外広告物管理システムのデータベースに格納された許可済み屋外広告物の情報を現行維持する場合の処理の他の例を示す図である。
【００７０】
図１２に示すように、屋外広告物の広告主から提出された申請書及び設計図、近隣図、写真等の添付書類に基づいて、図７で説明したと同様にして、「申請者情報」「申請物件情報」がデータベースの許可済み物件領域２ａに格納され（Ｓ１〜Ｓ６）、「許可証」４１が発行される。
【００７１】
許可済み屋外広告物の情報を現行維持するため、例えば調査会社に委託して未許可屋外広告物の調査を行う場合には、オペレータは、調査地域で許可済みとなっている屋外広告物を検索するために、図９に示すように、ＰＣの屋外広告物検索画面から、物件情報検索条件、地区、広告種別、広告分類等を指定して検索する。例えば、屋外広告物検索画面１２において、「検索条件」１２ａとして「地区」１２ｂを指定し、「富士通町一丁目」を入力して「検索実行」釦１２ｃ をクリックすると、図９に示すような屋外広告物の一覧が表示される。
検索された許可済み屋外広告物の一覧を、携帯端末３０にダウンロードする(Ｓ５０)。携帯端末３０は、例えばメモリステイックなどにダウンロードした許可済み屋外広告物の一覧を格納することができる。また、必要に応じて、屋外広告物の一覧に含まれる屋外広告物の属性データ、画像データをダウンロードして格納することもできる。
【００７２】
調査会社の調査員は、許可済み屋外広告物の一覧などが格納された携帯端末を持参して現地調査に出向くことができる。
また、調査員は、調査対象の屋外広告物が掲出されている場所で位置データ(緯度経度)、画像データなどを取得することができる（Ｓ１１〜Ｓ１４）。
【００７３】
その場合、取得された緯度経度、画像データ、及び属性データは、携帯端末にメモしておき、市役所に持参して、データベースに格納する処理を行うことにしてもよく、あるいは、Ｗｅｂページ作成手段にネットワークを介してアクセスし、取得したデータを送信することにしてもよい。なお、そのとき許可済み屋外広告物である旨の区分情報を添付して送信することもできる。
【００７４】
次に、調査対象物件の位置情報、広告の属性情報、イメージ情報をキーとして、調査対象物件の近隣許可済み屋外広告物の候補一覧を検索する。（Ｓ２０）
次に、検索された近隣の許可済み屋外広告物の地図データや画像に基づいて、現地調査により発見した屋外広告物が許可済み物件であるか、未許可物件であるかを判定する（Ｓ３０）。そして、未許可のものは、未許可屋外広告物である旨の区分情報を添付して、携帯端末で取得した位置データ、携帯端末で撮影した屋外広告物の画像データ、属性データを、ＰＣのＷｅｂページ作成手段に送信する。
【００７５】
一方、ＰＣのＷｅｂページ作成手段は、受信した、位置データ(緯度経度)とデータベースに格納された地図データ、及び位置データ(緯度経度)と画像データとをそれぞれ括り付け、添付された区分情報が許可済みであるときは、データベースの許可物件領域２ａに調査済みなどの情報を格納し、未許可であるときは、データベースの未許可物件領域２ｂに調査で取得された広告物の位置情報、画像情報などの情報を格納する(Ｓ４０)。
【００７６】
なお、別の方法として、携帯端末に調査用申請物件データを格納せずに現地に持参し、携帯端末で現地調査を行う場所の位置データなどを取得し、その位置データなどをサーバのＷｅｂページ作成手段に送信して、サーバで許可物件領域２ａに格納された近隣の許可済み屋外広告物を抽出して携帯端末画面に送信し、携帯端末で取得した現地物件情報と受信した許可済み屋外広告候補一覧より現地物件の許可／未許可を判定し、判定結果などをＰＣのＷｅｂページ作成手段に送信し、ＰＣのＷｅｂページ作成手段は、受信した調査物件情報、判定情報をデータベースに格納することも可能である。
【図面の簡単な説明】
【００７７】
【図１】本発明の屋外広告物管理システムの実施形態を示す概略構成図である。
【図２】屋外広告物の申請書が提出されたときの登録処理を説明する図である。
【図３】申請時の登録処理により入力される項目例の詳細を示す図である。
【図４】屋外広告物管理システムにより申請登録処理を行う際のＰＣの入力画面の一例を示す図である。
【図５】屋外広告物が掲出された位置データと地図データとを括り付ける地図情報メニュー画面を示す図である。
【図６】携帯端末を用いて屋外広告物の現地調査を行うときの処理を説明する図である。
【図７】屋外広告物管理システムのデータベースに格納された許可済み屋外広告物の情報を現行維持する場合の処理例を示す図である。
【図８】許可物件領域に格納された近隣の許可済み屋外広告物を検索する処理フローを示す図である。
【図９】屋外広告物検索画面を示す図である。
【図１０】調査対象広告と許可済み広告比較画面を示す図である。
【図１１】調査対象物件の画像と許可済みの屋外広告物の画像とを比較し、区分情報を添付する処理フローを示す図である。
【図１２】屋外広告物管理システムのデータベースに格納された許可済み屋外広告物の情報を現行維持する場合の処理の他の例を示す図である。
【符号の説明】
【００７８】
１  屋外広告物管理システム
２  データベース
２ａ  許可物件領域
２ｂ  未許可物件領域
２ｃ  未判別物件領域
３  Ｗｅｂページ作成手段
４  検索手段
１０  ＰＣ
１０ａ  申請者情報メニュー画面
１０ｂ  申請物件情報メニュー画面
１０ｃ  地図情報メニュー画面
１１  星マーク
１２  屋外広告物検索画面
１２ａ  指定条件
１２ｂ  地区選択釦
１２ｃ  検索実行釦
１２ｄ  広告種別選択釦
１２ｅ  広告分類選択釦
１３ａ  調査対象広告属性情報
１３ｂ  調査対象広告イメージ図
１３ｃ  許可済み屋外広告候補一覧
１３ｄ  比較対照許可済み屋外広告イメージ図
１３ｅ  許可判定釦
１３ｆ  未許可判定釦
１３ｇ  再検索釦
１５  ＨＤＤ
２０  ネットワーク
３０  携帯端末
４０  プリンタ
４１  許可証
４２  許可済み屋外広告物リスト
【図１】
2005284989.tif 000003
【図２】
2005284989.tif 000004
【図３】
2005284989.tif 000005
【図４】
2005284989.tif 000006
【図５】
2005284989.tif 000007
【図６】
2005284989.tif 000008
【図７】
2005284989.tif 000009
【図８】
2005284989.tif 000010
【図９】
2005284989.tif 000011
【図１０】
2005284989.tif 000012
【図１１】
2005284989.tif 000013
【図１２】
2005284989.tif 000014